(57)【要約】      （修正有）【課題】水素生成器に適用し、水素生成器の全体体積をよりコンパクトにし、使用上の利便性を大幅に向上した、気体・水分離式タンクを提供する。【解決手段】気体・水分離式タンク１０は、アウタータンク１１と、インナーシリンダー１２と、第１連接管１３と、第２連接管を含み、アウタータンクの第１水素入口１１６と、酸素入口１１１と、給水口１１３がタンク本体１１０の側壁に配置され、水素出口と気体放出孔１１４がタンク本体の頂壁に配置され、インナーシリンダーがアウタータンクの内部に配置され、インナーシリンダーの第２水素入口１２３がシリンダー１２０の側面に配置され、気体出口がシリンダーの上面に配置され、浮き栓１２１がシリンダー内に移動可能に設置され、出水口１２２がシリンダーの底面に配置され、浮き栓１２１が水吐口１２２上を被覆し、第１連通管が第２水素入口と第１水素入口の間を連通し、第２連通管が気体出口と水素出口の間を連通する。【選択図】図１
0003218868.tif 000002
【実用新案登録請求の範囲】
【請求項１】
気体・水分離式タンクであって、アウタータンクと、該アウタータンク内部に配置されたインナーシリンダーと、第１連通管と、第２連通管を含み、
該アウタータンクが、タンク本体と、酸素入口と、第１水素入口と、水素出口と、給水口と、気体放出孔を含み、そのうち該第１水素入口と、該酸素入口と、該給水口が該タンク本体の側壁に配置され、該水素出口と該気体放出孔が該タンク本体の頂壁に配置され、
該インナーシリンダーが、シリンダーと、浮き栓と、水吐口と、第２水素入口と、気体出口を含み、そのうち該第２水素入口が該シリンダーの側面に配置され、該気体出口が該シリンダーの上面に配置され、該浮き栓が該シリンダー内に移動可能に設置され、該出水口が該シリンダーの底面に配置され、該浮き栓が該水吐口上を被覆し、
該第１連通管の一端が該第２水素入口に連接され、該第１連通管の他端が該第１水素入口に連接され、
該第２連通管の一端が該気体出口に連接され、該第２連通管の他端が該水素出口に連接された、
ことを特徴とする、気体・水分離式タンク。
【請求項２】
前記アウタータンクがさらに補水口を含み、該補水口が該タンク本体の底壁に配置されたことを特徴とする、請求項１に記載の気体・水分離式タンク。
【請求項３】
前記インナーシリンダーがさらに逆止弁を含み、該逆止弁が該水吐口に連接されたことを特徴とする、請求項１に記載の気体・水分離式タンク。
【請求項４】
前記インナーシリンダーが該アウタータンク内部の該頂壁に近い部分に配置されたことを特徴とする、請求項１に記載の気体・水分離式タンク。
【請求項５】
人体内の悪玉フリーラジカルを中和し、抗酸化機能を高め、睡眠をサポートするとともに、心筋梗塞、炎症、肌質等の保健美容機能を改善できる純水製水素生成器であって、水素・酸素電気分解槽と、請求項１乃至４のいずれかに記載の気体・水分離式タンクと、圧力スイッチを含み、
該水素・酸素電気分解槽が、相対する第１側と第２側を含み、
該気体・水分離式タンクの側壁が該水素・酸素電気分解槽の該第２側に隣接して設置され、
該圧力スイッチが該水素・酸素電気分解槽の該第１側に隣接して設置され、該圧力スイッチの第１端が該水素・酸素電気分解槽に連接され、該圧力スイッチの第２端が該気体・水分離式タンクの該第１水素入口に連接された、
ことを特徴とする、水素生成器。
【請求項６】
さらにバブルカウンターを含み、該バブルカウンターが透明壁と、入泡端と、出泡端を含み、該入泡端が該圧力スイッチの該第２端に連接され、該出泡端が該気体・水分離式タンクの該第１水素入口に連接されたことを特徴とする、請求項５に記載の人体内の悪玉フリーラジカルを中和し、抗酸化機能を高め、睡眠をサポートするとともに、心筋梗塞、炎症、肌質等の保健美容機能を改善できる純水製水素生成器。
【請求項７】
さらにハウジングと、ブリージングライトを含み、該ブリージングライトが該ハウジング上に設置され、該水素・酸素電気分解槽、該圧力スイッチ、該気体・水分離式タンクが該ハウジング内に設置されたことを特徴とする、請求項５に記載の人体内の悪玉フリーラジカルを中和し、抗酸化機能を高め、睡眠をサポートするとともに、心筋梗塞、炎症、肌質等の保健美容機能を改善できる純水製水素生成器。
【請求項８】
さらに電源コネクタを含み、該電源コネクタが該ハウジング上に設置されたことを特徴とする、請求項７に記載の水素生成器。
【請求項９】
水素生成器連結ユニットであって、請求項８に記載の複数の水素生成器と、連結座体を含み、該連結座体が、中央タンクと、積載部と、複数の給水コネクタと、複数の給電コネクタを含み、該給水コネクタと該給電コネクタが該積載部上に設置され、かつ該給水コネクタが該中央タンクに連通され、そのうち該複数の水素生成器が該積載部上に設置され、該補水口が該給水コネクタに連接され、該電源コネクタが該給電コネクタに連接されたことを特徴とする、水素生成器連結ユニット。
【請求項１０】
前記中央タンクが該積載部の中央に設置され、該給水コネクタと該給電コネクタが該中央タンクの周囲を囲んで設置されたことを特徴とする、請求項９に記載の水素生成器連結ユニット。
【考案の詳細な説明】
【技術分野】
【０００１】
本考案は水素生成器に関し、特に、気体・水分離式タンクを備え、かつ人体内の悪玉フリーラジカルを中和し、抗酸化機能を高め、睡眠をサポートするとともに、心筋梗塞、炎症、肌質等の保健美容機能を改善できる純水製水素生成器に関する。
【背景技術】
【０００２】
研究によれば、水素分子（Ｈｙｄｒｏｇｅｎ）は人体内のフリーラジカルを中和し、体質の調整と健康維持の目的を達成することができるとされている。このため、水素生成器が多くの使用者に歓迎されるようになっている。しかしながら、現在市販されている水素生成器は体積が大きく、重量も重いため、使用者にとって不便である。
【０００３】
水素は水を電気分解して発生するため、電気分解の過程では多量の水を使用する必要がある。電気分解で発生する気体は使用者が火傷をしないように水で温度を下げる必要があり、また発生する気体の降温過程で生じる水も回収しなければならない。このため、水素生成器は通常電気分解過程を円滑に行うことができるように２つ以上のタンクを備えている。
【考案の概要】
【考案が解決しようとする課題】
【０００４】
しかしながら、タンクは占用体積が大きく、重量も重いため、タンクが水素生成器の体積を容易に縮減できない主な原因の１つとなっている。
【０００５】
上述の問題に鑑み、本考案の目的は、水素生成器に適用し、水素生成器の全体体積をよりコンパクトにし、使用上の利便性を大幅に向上した、気体・水分離式タンクを提供することにある。気体・水分離式タンクは単一のタンクのみを使用して水の供給、回収、降温の機能を達成し、体積と重量を大幅に縮減することができる。
【課題を解決するための手段】
【０００６】
本考案の一実施例の気体・水分離式タンクは、アウタータンクと、インナーシリンダーと、第１連接管と、第２連接管を含む。アウタータンクは、タンク本体と、酸素入口と、第１水素入口と、水素出口と、給水口と、気体放出孔を含み、そのうち、第１水素入口と、酸素入口と、給水口がタンク本体の側壁に配置され、水素出口と気体放出孔がタンク本体の頂壁に配置される。インナーシリンダーはアウタータンクの内部に配置される。インナーシリンダーは、シリンダーと、浮き栓と、水吐口と、第２水素入口と、気体出口を含み、そのうち、第２水素入口がシリンダーの側面に配置され、気体出口がシリンダーの上面に配置され、浮き栓がシリンダー内に移動可能に設置され、出水口がシリンダーの底面に配置され、浮き栓が水吐口上を被覆する。第１連通管の一端が第２水素入口に連接（連結するように接続）され、第１連通管の他端が第１水素入口に連接される。第２連通管の一端が気体出口に連接され、第２連通管の他端が水素出口に連接される。
【０００７】
本考案の一実施例の気体・水分離式タンクは、アウタータンクがさらにタンク本体の底壁に配置された補水口を含む。
【０００８】
本考案の一実施例の気体・水分離式タンクは、タンク本体の側壁が平面であり、タンク本体の弧壁が曲面である。
【０００９】
本考案の一実施例の気体・水分離式タンクは、インナーシリンダーがさらに水吐口に連接された逆止弁を含む。
【００１０】
本考案の一実施例の気体・水分離式タンクは、インナーシリンダーがアウタータンク内部の頂壁に近い部分に配置される。
【００１１】
本考案の一実施例がさらに提供する水素生成器は、水素・酸素電気分解槽と、気体・水分離式タンクと、圧力スイッチを含む。水素・酸素電気分解槽は相対する第１側と第２側を含む。気体・水分離式タンクは側壁が水素・酸素電気分解槽の第２側に隣接して設置され、酸素入口が酸素産出口に突き合わせて連接される。圧力スイッチは水素・酸素電気分解槽の第１側に隣接して設置され、圧力スイッチの第１端が水素・酸素電気分解槽に連接され、圧力スイッチの第２端が気体・水分離式タンクの第１水素入口に連接される。
【００１２】
本考案の一実施例の水素生成器はさらにバブルカウンターを含み、バブルカウンターが、透明壁と、入泡端と、出泡端を含み、入泡端が圧力スイッチの第２端に連接され、出泡端が気体・水分離式タンクの第１水素入口に連接される。
【００１３】
本考案の一実施例の水素生成器はさらにハウジングと、ブリージングライトを含み、ブリージングライトがハウジング上に設置され、水素・酸素電気分解槽、圧力スイッチ及び気体・水分離式タンクがハウジング内に設置される。
【００１４】
本考案の一実施例の水素生成器はさらに電源コネクタを含み、電源コネクタがハウジング上に設置される。
【００１５】
本考案の一実施例はさらに水素生成器連結ユニットを提供する。水素生成器連結ユニットは、複数の水素生成器と連結座体を含み、連結座体が中央タンクと、積載部と、複数の給水コネクタと、複数の給電コネクタを含む。給水コネクタと給電コネクタは積載部上に設置され、かつ該給水コネクタが該中央タンクに連通され、そのうち、該複数の水素生成器が該積載部上に設置され、該補水口が該給水コネクタに連接され、該電源コネクタが該給電コネクタに連接される。
【００１６】
本考案の一実施例の水素生成器連結ユニットは、中央タンクが積載部の中央に設置され、給水コネクタと給電コネクタが中央タンクの周囲を囲んで設置される。
【考案の効果】
【００１７】
上述をまとめると、本考案の一実施例の気体・水分離式タンクによれば、充分な水を供給して電気分解を行うことができ、かつタンク内の水を利用して気体の降温を行い、降温後に凝縮して形成された水をタンクに戻して繰り返し利用することができる。本考案の一実施例の水素生成器は各種必要部材をより合理的に配置することで体積を縮小し、外観の美を達成する。本考案の一実施例の水素生成器は気体の放出が遮られたとき自動的にオフになり、使用上の安全性を確保することができる。本考案の一実施例の水素生成器は気体放出時の気泡を視覚的に見ることができ、気体放出状況を確認すると同時に心地よさを感じさせる効果を提供する。本考案の一実施例の水素生成器に配置されたブリージングライトは、使用者の呼吸のリズムに合わせて明暗を形成し、使用者をリラックスさせる効果を提供することができる。本考案の一実施例の水素生成器連結ユニットは、複数の水素生成器を同時に運用し、気体放出量を高め、給水量を増加でき、大量の気体放出が必要なときに複数の水素生成器を簡単に組み合わせ、ニーズに対応することができる。
【図面の簡単な説明】
【００１８】
【図１】本考案の一実施例の気体・水分離式タンクの立体分解図である。
【図２】本考案の一実施例の図１のＡＡ線に沿った断面図である。
【図３】本考案の一実施例の水素生成器の局部配置を示す立体斜視図である。
【図４】本考案の一実施例の図３の側面図である。
【図５】本考案の一実施例の水素生成器の立体図である。
【図６】本考案の一実施例の水素生成器連結ユニットの立体図である。
【考案を実施するための形態】
【００１９】
図１に本考案の一実施例の気体・水分離式タンクの立体分解図を示す。図１に示すように、気体・水分離式タンク１０は基本的に、アウタータンク１１と、インナーシリンダー１２と、第１連通管１３と、第２連通管１４を含む。インナーシリンダー１２はアウタータンク１１内部に配置される。第１連通管１３及び第２連通管１４はアウタータンク１１とインナーシリンダー１２の間に配置される。一部の実施例において、アウタータンク１１には液位センサー（図示しない）が設置され、かつ液位センサーはアウタータンク１１内の液体を検出し、満水または水量不足の信号を送信することができる。
【００２０】
図２に本考案の一実施例の図１のＡＡ線に沿った断面図を示す。図１と図２に示すように、アウタータンク１１は、タンク本体１１０と、酸素入口１１１と、第１水素入口１１６と、水素出口１１２と、給水口１１３と、気体放出孔１１４を含む。第１水素入口１１６と、酸素入口１１１と、給水口１１３はタンク本体１１０の側壁１１０ａ上に配置され、水素出口１１２と気体放出孔１１４はタンク本体１１０の頂壁１１０ｂに配置される。酸素入口１１１から気体放出孔１１４までの間が酸素通路であり、酸素を酸素入口１１１からアウタータンク１１に進入させた後、アウタータンク１１頂部の気体放出孔１１４から離脱させるために用いられる。
【００２１】
一部の実施例において、酸素入口１１１はタンク本体１１０の水位線以下に設置される。つまり、酸素入口１１１からタンク本体１１０に進入した酸素が少なくとも一部分のタンク本体１１０内の貯水を通過してから、タンク本体１１上半部の無水空間に散逸され、酸素の温度を下げることができる。一部の実施例において、第１水素入口１１６、酸素入口１１１、給水口１１３は側壁１１０ａの同じ１本の垂直線上に、上から下へ第１水素入口１１６、酸素入口１１１、給水口１１３の順に直線状に排列される。一部の実施例において、給水口１１３は側壁１１０ａ上のタンク本体１１０底壁１１０ｃ近くの位置に設置され、アウタータンク１１が低水位のときも給水することができる。
【００２２】
一部の実施例において、タンク本体１１０は円柱体、長方体または半円柱体等の形状とすることができるが、これらに限らない。一部の実施例において、タンク本体１１０は半円柱体であり、タンク本体１１０の側壁１１０ａは平面部と弧状部１１０ｄを含み、平面部と弧状部１１０ｄが相互に連接されて半円柱体の環状側壁１１０ａを形成する。ここで、側壁１１０ａの平面部は水素・酸素電気分解槽２０に近く、酸素通路が短縮され、かつ部材の配置に必要な体積を可能な限り減少している。弧状部１１０ｄの曲面は貯水量を増加するとともに、より優美な外観を提供する。
【００２３】
一部の実施例において、タンク本体１１０は一体成型とすることができる。続いて図１に示すように、別の一部の実施例において、タンク本体１１０は上蓋と本体で構成され、上蓋が本体上を被覆する。ここで、上蓋がタンク本体１１０の頂壁１１０ｂを提供し、本体が側壁１１０ａと底壁１１０ｃを提供する。
【００２４】
続いて図１と図２に示すように、インナーシリンダー１２は、シリンダー１２０と、浮き栓１２１と、水吐口１２２と、第２水素入口１２３と、気体出口１２４を含む。第２水素入口１２３はシリンダー１２０の側面１２０ａに配置され、気体出口１２４はシリンダー１２０の上面１２０ｂに配置される。気体出口１２４は第２連通管１４を介して水素出口１１２に連通される。一部の実施例において、水素出口１１２はさらにコネクタ（図示しない）を含む。コネクタは吸気コネクタとの連接に用いられ、吸気コネクタから高純度の水素をより便利に吸入できるようにする。一部の実施例において、水素出口１１２はさらにキャップ１１７を含み、かつキャップ１１７は水素出口１１２を被覆して汚染物質の進入を防ぐ。シリンダー１２０の水吐口１２２はシリンダー１２０の底面１２０ｃに配置される。シリンダー１２０内にはさらに浮き栓１２１が設置され、浮き栓１２１の大きさはシリンダー１２０の内径より若干小さく、シリンダー１２０内で上下に移動することができる。浮き栓１２１の大きさは水吐口１２２の口径より大きく、浮き栓１２１がシリンダー１２０の底面１２０ｃに位置するとき、浮き栓１２１が水吐口１２２を塞ぎ、シリンダー１２０内の液体の流出を遮断し、浮き栓１２１が上へ浮いたとき水吐口１２２から離脱し、シリンダー１２０内の液体を流出させることができる。一部の実施例において、シリンダー１２０の主な材質は、例えばガラスや金属等、熱伝導効率が高い材質を選択して用いる。
【００２５】
運用過程において、水の電気分解で形成される水素の温度は比較的高く、かつ水分を含むため、水素内の水分がシリンダー１２０内で凝縮して析出される。シリンダー１２０内の水分が一定量に達すると、浮き栓１２１が水の浮力を受けて上昇し、底面１２０ｃから離脱して、水を水吐口１２２から排出し、アウタータンク１１に戻して回収させることができる。別途回収用水槽を設置しないため、空間を大幅に節約することができる。
【００２６】
一部の実施例において、インナーシリンダー１２は逆止弁を含み、逆止弁は水吐口１２２の外側に設置され（図示しない）、水がインナーシリンダー１２に逆流しないようにする。
【００２７】
一部の実施例において、アウタータンク１１のタンク本体１１０の内壁に支持構造１１８が設置される。インナーシリンダー１２の底面１２０ｃが支持構造１１８上に当接され、インナーシリンダー１２をアウタータンク１１の上半部に保持することができる。つまり、インナーシリンダー１２はアウタータンク１１内部の頂壁１１０ｂに近い部分に配置され、水素通路が短縮される。一部の実施例において、支持構造１１８はタンク本体１１０内壁の複数本の短柱に設置され、短柱はタンク本体１１０の底壁１１０ｃから上に延伸される。一部の実施例において、支持構造１１８はタンク本体１１０の側壁１１０ａの内面上の突出物に設置される。
【００２８】
続いて図１と図２に示すように、第１連通管１３は一端が第２水素入口１２３に連接され、第１連通管１３の他端は第１水素入口１１６に連接される。第２連通管１４は一端が気体出口１２４に連接され、第２連通管１４の他端は水素出口１１２に連接される。これにより水素通路が形成され、水素は第２連通管１４からタンク本体１１０の側壁１１０ａを通過した後、インナーシリンダー１２に直接進入し、さらにインナーシリンダー１２から第１連通管１３を経由してアウタータンク１１から出る。ここで、水素はタンク本体１１０内の貯水に直接接触しない。一部の実施例において、第２連通管１４とタンク本体１１０の上蓋が一体成型される。
【００２９】
図３は本考案の一実施例の水素生成器の局部配置を示す立体斜視図である。図４は本考案の一実施例の図３の側面図である。本考案の一実施例はさらに水素生成器１を提供する。水素生成器１の内部構造をよりはっきりと示すため、図３及び図４ではハウジング５０及び一部必要な特徴ではない部材が省略されている。図３と図４に示すように、水素生成器１は、水素・酸素電気分解槽２０と、気体・水分離式タンク１０と、圧力スイッチ３０を含む。水素・酸素電気分解槽２０は相対する第１側２１０（第１の分解槽）と第２側２１２（第２の分解槽）を含む。水素生成の位置は第１側２１０にあり、酸素生成と水入力位置は第２側２１２にある。気体・水分離式タンク１０は側壁１１０ａが水素・酸素電気分解槽２０の第２側２１２に隣接され、酸素入口１１１を水素・酸素電気分解槽２０に突き合わせて連接させ、かつ水素・酸素電気分解槽２０が産出する酸素を酸素入口１１１に進入させることができる。圧力スイッチ３０は水素・酸素電気分解槽２０の第１側２１１に隣接して設置され、圧力スイッチ３０の第１端３０１が水素・酸素電気分解槽２０の第１側２１１に連接され、圧力スイッチ３０の第２端３０２が気体・水分離式タンク１０の第１水素入口１１６に連接される。圧力スイッチ３０は水素の気体圧力状況を検出し、気体の流出が阻まれて気体圧力が大きくなると、水素生成器１を自動的にオフにする。
【００３０】
一部の実施例において、水素生成器１はさらにバブルカウンター４０を含む。バブルカウンター４０は透明壁４１、入泡端４２、出泡端４３を含む。入泡端４２は圧力スイッチ３０の第２端３０２に連接され、出泡端４３は気体・水分離式タンク１０の第１水素入口１１６に連接される。使用者はバブルカウンター４０の透明壁４１から水素の気泡を見て、水素生成状况と速度を把握することができる。
【００３１】
図５に本考案の一実施例の水素生成器の立体図を示す。図３から図５に示すように、一部の実施例において、水素生成器１はさらにハウジング５０（図３及び図４は局部を表示）とブリージングライト６０を含む。ブリージングライト６０はハウジング５０上に設置され、柔和な光線を発することができ、光線の色に制限はない。一部の実施例において、水素生成器１のハウジング５０は楕円柱状体であり、ブリージングライト５０はストリップ状のリングであり、ブリージングライト６０はハウジング５０の下半部に設置される。一部の実施例において、ブリージングライト６０の光線強弱は時間に伴って変化することができる。一部の実施例において、ブリージングライト６０の強弱は使用者の呼吸に合わせて変化する。例えば、ブリージングライト６０は５〜７秒間に１回強から弱への光線サイクルを完了する。一部の実施例において、ブリージングライト６０の光線は青色の光線である。一部の実施例において、ハウジング５０は透明区域５１を備え、透明区域５１の位置はバブルカウンター４０の透明壁４１に対応している。
【００３２】
図５に示すように、一部の実施例において、アウタータンク１１はさらに補水口１１５を含み、補水口１１５はタンク本体１１０の底壁１１０ｃに配置される。一部の実施例において、水素生成器１はさらに電源コネクタ７０を含み、電源コネクタ７０はハウジング５０上に設置される。長時間にわたって水素を生成する必要があるとき、外部の電源と水源に接続し、装備している携帯式電源またはアウタータンク内の水量が不足する事態を回避することができる。一部の実施例において、電源コネクタ７０はハウジング５０の底座体５０ｃ上に設置される。
【００３３】
図６に本考案の一実施例の水素生成器連結ユニットの立体図を示す。本考案の一実施例はさらに水素生成器連結ユニットを提供する。水素生成器連結ユニットは、複数台の水素生成器１Ａ、水素生成器１Ｂ、水素生成器１Ｃ及び連結座体８０を含む。連結座体８０は、中央タンク８１と、積載部８２と、複数の給水コネクタ８３と、複数の給電コネクタ８４を含む。給水コネクタ８３と給電コネクタ８４は積載部８２上に設置され、かつ給水コネクタ８３は中央タンク８１に連通される。水素生成器１Ａ、１Ｂ、１Ｃを積載部８１上に設置したとき、補水口１１５が給水コネクタ８３に連接され、電源コネクタ７０が給電コネクタ８４に連接される。
【００３４】
一部の実施例において、中央タンク８１は積載部８２の中央に設置され、給水コネクタ８３と給電コネクタ８４は中央タンク８１の周囲を囲んで設置される。一部の実施例において、給水コネクタ８３の設置位置は中央タンク８１より低く、重力差を利用して給水する。
【００３５】
本考案の技術内容についてすでに最良の実施例を挙げて上述したが、上述の説明は本考案を限定するものではなく、当業者であれば本考案の要旨を逸脱することなく若干の変化と修飾が可能であり、それらはすべて本考案の範疇内に含まれるため、本考案の保護範囲は後付の実用新案登録請求の範囲の定義に準じる。
【符号の説明】
【００３６】
１、１Ａ、１Ｂ、１Ｃ  水素生成器
１１    アウタータンク
１１０          タンク本体
１１０ａ    側壁
１１０ｂ    頂壁
１１０ｃ    底壁
１１０ｄ    弧壁（弧状部）
１１１    酸素入口
１１６          第１水素入口
１１２          水素出口
１１３          給水口
１１４          気体放出孔
１１５          補水口
１１７    キャップ
１１８          支持構造
１２    インナーシリンダー
１２０    シリンダー
１２０ａ    側面
１２０ｂ    上面
１０２ｃ    底面
１２１    浮き栓
１２２    水吐口
１２３          第２水素入口
１２４          気体出口
１３    第１連通管
１４    第２連通管
２０    水素・酸素電気分解槽
２１    槽体
２１０    第１側
２１２    第２側
３０    圧力スイッチ
３０１          第１端
３０２    第２端
４０                 バブルカウンター
４１                 透明壁
４２                 入泡端
４３                 出泡端
５０                 ハウジング
５０ｃ               底座体
６０                 ブリージングライト
７０                 電源コネクタ
８０                 連結座体
８１                 中央タンク
８２                 積載部
８３                 給水コネクタ
８４                 給電コネクタ
【図１】
0003218868.tif 000003
【図２】
0003218868.tif 000004
【図３】
0003218868.tif 000005
【図４】
0003218868.tif 000006
【図５】
0003218868.tif 000007
【図６】
0003218868.tif 000008
【手続補正書】
【提出日】平成30年9月14日(2018.9.14)
【手続補正１】
【補正対象書類名】実用新案登録請求の範囲
【補正対象項目名】全文
【補正方法】変更
【補正の内容】
【実用新案登録請求の範囲】
【請求項１】
気体・水分離式タンクであって、アウタータンクと、該アウタータンク内部に配置されたインナーシリンダーと、第１連通管と、第２連通管を含み、
該アウタータンクが、タンク本体と、酸素入口と、第１水素入口と、水素出口と、給水口と、気体放出孔を含み、そのうち該第１水素入口と、該酸素入口と、該給水口が該タンク本体の側壁に配置され、該水素出口と該気体放出孔が該タンク本体の頂壁に配置され、
該インナーシリンダーが、シリンダーと、浮き栓と、水吐口と、第２水素入口と、気体出口を含み、そのうち該第２水素入口が該シリンダーの側面に配置され、該気体出口が該シリンダーの上面に配置され、該浮き栓が該シリンダー内に移動可能に設置され、該出水口が該シリンダーの底面に配置され、該浮き栓が該水吐口上を被覆し、
該第１連通管の一端が該第２水素入口に連接され、該第１連通管の他端が該第１水素入口に連接され、
該第２連通管の一端が該気体出口に連接され、該第２連通管の他端が該水素出口に連接された、
ことを特徴とする、気体・水分離式タンク。
【請求項２】
前記アウタータンクがさらに補水口を含み、該補水口が該タンク本体の底壁に配置されたことを特徴とする、請求項１に記載の気体・水分離式タンク。
【請求項３】
前記インナーシリンダーがさらに逆止弁を含み、該逆止弁が該水吐口に連接されたことを特徴とする、請求項１に記載の気体・水分離式タンク。
【請求項４】
前記インナーシリンダーが該アウタータンク内部の該頂壁に近い部分に配置されたことを特徴とする、請求項１に記載の気体・水分離式タンク。
【請求項５】
人体内の悪玉フリーラジカルを中和し、抗酸化機能を高め、睡眠をサポートするとともに、心筋梗塞、炎症、肌質の保健美容機能を改善できる純水製水素生成器であって、水素・酸素電気分解槽と、請求項１乃至４のいずれかに記載の気体・水分離式タンクと、圧力スイッチを含み、
該水素・酸素電気分解槽が、相対する第１側と第２側を含み、
該気体・水分離式タンクの側壁が該水素・酸素電気分解槽の該第２側に隣接して設置され、
該圧力スイッチが該水素・酸素電気分解槽の該第１側に隣接して設置され、該圧力スイッチの第１端が該水素・酸素電気分解槽に連接され、該圧力スイッチの第２端が該気体・水分離式タンクの該第１水素入口に連接された、
ことを特徴とする、水素生成器。
【請求項６】
さらにバブルカウンターを含み、該バブルカウンターが透明壁と、入泡端と、出泡端を含み、該入泡端が該圧力スイッチの該第２端に連接され、該出泡端が該気体・水分離式タンクの該第１水素入口に連接されたことを特徴とする、請求項５に記載の水素生成器。
【請求項７】
さらにハウジングと、ブリージングライトを含み、該ブリージングライトが該ハウジング上に設置され、該水素・酸素電気分解槽、該圧力スイッチ、該気体・水分離式タンクが該ハウジング内に設置されたことを特徴とする、請求項５に記載の水素生成器。
【請求項８】
さらに電源コネクタを含み、該電源コネクタが該ハウジング上に設置されたことを特徴とする、請求項７に記載の水素生成器。
【請求項９】
水素生成器連結ユニットであって、請求項８に記載の複数の水素生成器と、連結座体を含み、該連結座体が、中央タンクと、積載部と、複数の給水コネクタと、複数の給電コネクタを含み、該給水コネクタと該給電コネクタが該積載部上に設置され、かつ該給水コネクタが該中央タンクに連通され、そのうち該複数の水素生成器が該積載部上に設置され、該補水口が該給水コネクタに連接され、該電源コネクタが該給電コネクタに連接されたことを特徴とする、水素生成器連結ユニット。
【請求項１０】
前記中央タンクが該積載部の中央に設置され、該給水コネクタと該給電コネクタが該中央タンクの周囲を囲んで設置されたことを特徴とする、請求項９に記載の水素生成器連結ユニット。